(57)【特許請求の範囲】
【請求項１】
公衆陸上移動体ネットワークを含み、複数のセルに分割されている通信システムで使用するための移動通信装置であって、
公衆陸上移動体ネットワークと通信する無線手段と、
通信システム内の複数の中の１つのセルに移動通信装置がキャンプオンすることを許されるかどうかを決定する決定手段とを備え、
通信システム内の複数の中の１つのセルに移動通信装置がキャンプオンすることが許されるかどうかを決定した結果には、移動通信装置が通信システム内の別のセルにキャンプオンすることが許されるかどうかは示されず、
通信システム内の複数の中の１つのセルに移動通信装置がキャンプオンすることを許されるかどうかを決定する決定手段は、
許可されたアクセスが加入データによって制御される公衆陸上移動体ネットワークの一部に属するセルであるかどうかを示す、セルに関する情報を受信する手段と、
該セルに関する情報が、許可されたアクセスが加入データによって制御される公衆陸上移動体ネットワークの一部に属するセルであることを示すことを検出する検出手段と、
通信システムからセル障害情報を受信する受信手段と、
前記検出手段に応答して、前記決定手段がセルにキャンプオンしてもよいと決定した場合に前記セル障害情報を無視する手段と
を備えることを特徴とする移動通信装置。
【請求項２】
請求項１に記載の移動通信装置であって、複数の中の１つのセルに移動通信装置がキャンプオンすることを許されるかどうかを決定する決定手段が、どのセルにキャンプオンすることが可能かの情報を蓄積するためのメモリー装置を備えることを特徴とする移動通信装置。
【請求項３】
請求項２に記載の移動通信装置であって、どのセルにキャンプオンすることが可能かの情報がキャンプオンされえるセルのリストを含み、リスト中の情報がセルへのキャンプオンの優先順位を示すように配列されていることを特徴とする移動通信装置。
【請求項４】
請求項３に記載の移動通信装置であって、
複数の中の１つのセルに移動通信装置がキャンプオンすることを許されるかどうかを決定する決定手段が更に、
通信システム内の少なくとも二つのセルにキャンプオンすることが可能であることを決定する手段と、
優先順位の最も高いものを少なくとも二つのセルの中から選択する為にメモリー装置内の情報を利用する手段と
を含むことを特徴とする移動通信装置。
【請求項５】
請求項２に記載の移動通信装置であって、
複数の中の１つのセルに移動通信装置がキャンプオンすることを許されるかどうかを決定する決定手段が更に、通信システム内の複数の中の１つのセルからブロードキャストされる無線制御チャネル上で、セルに関する情報を受信する手段を含み、
当該セルに関する情報が、許可されたアクセスが加入データによって制御される公衆陸上移動体ネットワークの一部に属するセルであるかどうかを示すものであることを特徴とする移動通信装置。
【請求項６】
請求項１に記載の移動通信装置であって、
複数の中の１つのセルに移動通信装置がキャンプオンすることを許されるかどうかを決定する決定手段が、どのセルがキャンプオンされるかの情報を包含する加入識別モジュールを備えることを特徴とする移動通信装置。
【請求項７】
公衆陸上移動体ネットワークを含み、複数のセルに分割されている通信システムで使用するための移動通信装置であって、
公衆陸上移動体ネットワークと通信する無線手段と、
前記複数のセルのうちいずれかが、所定のサービスエリアの一部であるかを決定する決定手段とを備え、
前記決定手段は、
前記通信システム内の複数のセルのうちの一つからブロードキャストされる無線制御チャネル上の、許可されたアクセスが加入データによって制御される公衆陸上移動体ネットワークの前記所定のサービスエリアの一部のセルであるかどうかを示す、セルに関する情報を受信する手段と、
前記セルに関する情報が、前記所定のサービスエリアの一部のセルであることを示すことを検出する検出手段と、
前記通信システムからセル障害情報を受信する受信手段と、
前記検出手段に応答して、セルが前記所定のサービスエリアの一部である場合に、前記セル障害情報を無視する手段とを備え、
該移動通信装置は該所定のサービスエリア内でセルを利用することを許可される一方、通信システム内で使用される少なくとも一の他の移動通信装置は該所定のサービスエリア内でセルを使用することを許可されないことを特徴とする移動通信装置。
【請求項８】
請求項７に記載の移動通信装置であって、前記複数のセルのうちいずれかが所定のサービスエリアの一部であるかを決定する手段が、どのセルが所定のサービスエリアの一部であるかについての情報を蓄積するためのメモリー装置を備えることを特徴とする移動通信装置。
【請求項９】
請求項８に記載の移動通信装置であって、
キャンプオンされるのに適切なセルのリストを決定する手段と、
所定のサービスエリアの一部のセルを、所定のサービスエリアの一部でないセルよりも高い優先度を与えることにより、複数の適したセルのうちから一つのセルを選択する手段と
を備えることを特徴とする移動通信装置。
【請求項１０】
公衆陸上移動体ネットワークを含み、複数のセルに分割されている通信システムで使用する移動通信装置であって、
複数セルのうち一以上のセルから、許可されたアクセスが加入データによって制御される公衆陸上移動体ネットワークの一部に属するセルであるかどうかを示すセルに関する情報を受信する無線手段と、
移動通信装置のアイドルモード処理の間のキャンプオンされるセルの選択につき、複数セルのうち一以上のセルが他の複数のセルに対し優先されるかどうかを、セルに関する情報から決定するための決定手段とを備え、
前記決定手段は、
前記セルに関する情報が、許可されたアクセスが加入データによって制御される公衆陸上移動体ネットワークの一部に属するセルであることを示すことを検出する検出手段と、
前記通信システムからセル障害情報を受信する受信手段と、
前記検出手段に応答して、前記決定手段が前記移動通信装置のアイドルモード処理の間のキャンプオンされるセルの選択につき前記一以上のセルが前記他の複数のセルに対し優先されてもよいと決定した場合に、前記セル障害情報を無視する手段と
を備えることを特徴とする移動通信装置。
【請求項１１】
請求項１０に記載の移動通信装置であって、移動通信装置のアイドルモード処理の間のキャンプオンされるセルの選択につき、複数セルのうち一以上のセルが他の複数のセルに対し優先されるかどうかを、セルに関する情報から決定するための手段が、どのセルが優先されるかについての情報を蓄積するためのメモリー装置を備えることを特徴とする移動通信装置。
【請求項１２】
請求項１１に記載の移動通信装置であって、
キャンプオンされるのに適切なセルのリストを決定する手段と、
移動通信装置のアイドルモード処理の間に、優先されるセルを優先されないセルよりも高い優先度を与えることにより適切なセルの一つを選択する手段と
を更に備えることを特徴とする移動通信装置。
【請求項１３】
請求項１２に記載の移動通信装置であって、前記複数セルのうち一以上のセルからセルに関する情報を受信する無線手段が、通信システム内の複数のセルのうちの一つからブロードキャストされる無線制御チャンネル上のセルに関する情報を受信する手段を備えることを特徴とする移動通信装置。
【請求項１４】
複数のセルに分割された移動通信システムであって、
公衆陸上移動通信ネットワークであって、該公衆陸上移動通信ネットワークでは、ある移動通信装置が所定のサービスエリア内のセルを使用することを許可される一方、少なくとも一つの他の移動通信装置が所定のサービスエリア内のセルを利用することが許可されない公衆陸上移動通信ネットワークと、
複数のセルのうち少なくとも一つのセルから、当該それぞれのセルが、許可されたアクセスが加入データによって制御される公衆陸上移動体ネットワークの前記所定のサービスエリアに属するかどうかを示す、セルに関する情報をブロードキャストする手段と、
少なくとも一つの移動通信装置とを備え、
該移動通信装置は、
前記セルに関する情報を、前記複数のセルのうちの少なくとも一つのセルから受信する手段と、
受信した前記セルに関する情報に対応して、前記複数のセルのうち少なくとも一つに前記移動通信装置がキャンプオンすることが許されるかどうかを決定する決定手段と、
前記セルに関する情報が、許可されたアクセスが加入データによって制御される公衆陸上移動体ネットワークの一部に属することを示すことを検出する検出手段と、
前記複数のセルのうち少なくとも一つからセル障害情報を受信する受信手段と、
前記検出手段に応答して、前記決定手段がセルにキャンプオンしてもよいと決定した場合に、前記セル障害情報を無視する手段と
を備えることを特徴とする移動通信システム。
【請求項１５】
請求項１４に記載の移動通信システムであって、
複数のセルのうち少なくとも一つに移動通信装置がキャンプオンすることが許されるかどうかを決定する決定手段が、どのセルにキャンプオンすることが可能かについての情報を蓄積するためのメモリー装置を備えることを特徴とする移動通信システム。
【請求項１６】
複数のセルに分割された通信システムにおいて用いられる方法であって、
複数のセルのうち少なくとも一つのセルから、許可されたアクセスが加入データによって制御されるところの公衆陸上移動体ネットワークの一部に当該セルが属するかどうかを示すセルに関する情報をブロードキャストする工程と、
移動通信装置において、
複数のセルのうち少なくとも一つのセルから前記セルに関する情報を受信する工程と、
受信したセルに関する情報に応じて、複数のセルのうち少なくとも一つのセルに移動通信装置がキャンプオンすることが許可されるかどうかを決定する工程であって、
どのセルにキャンプオンすることが可能かについての蓄積された情報を取り出す工程を含む工程と、
前記セルに関する情報が、許可されたアクセスを加入データにより制御する前記公衆陸上移動体ネットワークの一部に属するセルであることを示すことを検出する工程と、
前記複数セルのうちの少なくとも一つからセル障害情報を受信する工程と、
セルにキャンプオンすることが可能であり、かつ、セルに関する情報が、許可されたアクセスを加入データにより制御する公衆陸上移動体ネットワークの一部にセルが属することを示す場合に、前記セル障害情報を無視する工程と
を備える工程と
を備えることを特徴とする方法。
【請求項１７】
複数のセルに分割された通信システムにおいて用いられる方法であって、
複数セルのうち少なくとも一つのセルからセルに関する情報をブロードキャストする工程と、
通信システムにおいて使用される移動通信装置において、
複数セルのうち少なくとも一つから、許可されたアクセスが加入データによって制御される公衆陸上移動体ネットワークの所定のサービスエリアの一部のセルであるかどうかを示す、セルに関する情報を受信する工程と
受信したセルに関する情報を、前記複数のセルのうち少なくとも一つのセルが前記所定のサービスエリアの一部であるかどうかを決定するために使用する工程とを備え、
前記決定するために使用する工程は、
受信した前記セルに関する情報が、前記所定のサービスエリアの一部のセルであることを示すことを検出する検出工程と、
前記通信システムからセル障害情報を受信する受信工程と、
前記検出に応答して、セルが前記所定のサービスエリアの一部である場合に、前記セル障害情報を無視する工程とを備え、
該移動通信装置は該所定のサービスエリア内のセルを使用することを許可される一方、通信システム内で使用される他の移動通信装置のうち少なくとも一つが所定のサービスエリア内のセルを利用することが許可されず、
前記セルに関する情報は、一致するセルを単一に識別するセル識別子であることを特徴とする
複数のセルに分割された通信システムにおいて用いられる方法。
【請求項１８】
請求項１７に記載の方法であって、受信したセルに関する情報を、前記複数セルのうちの少なくとも一つのセルが所定のサービスエリアの一部であるかどうかを決定するために使用する工程が、どのセルが所定のサービスエリア内にあるかについての蓄積された情報を取り出す工程を備えることを特徴とする方法。
【請求項１９】
複数セルに分割された通信システムにおいて用いられる方法であって、
複数セルのうち少なくとも一つから、許可されたアクセスが加入データによって制御される公衆陸上移動体ネットワークの一部に属するセルであるかどうかを示すセルに関する情報をブロードキャストする工程と、
前記通信システムにおいて使用される移動通信装置において、
前記複数セルのうちの少なくとも一つから前記セルに関連する情報を受信する工程と、
前記移動通信装置のアイドルモード処理の間のキャンプオンされるセルの選択につき、前記複数セルのうち一以上のセルが他の複数のセルに対し優先されるかどうかを、セルに関する情報を利用して決定する工程と、
前記セルに関する情報が、前記通信システムにおける前記複数のセルのうち一以上のセルが、許可されたアクセスを加入データにより制御する前記公衆陸上移動体ネットワークの一部に属するセルであることを示すことを検出する工程と、
前記複数セルのうちの少なくとも一つからセル障害情報を受信する工程と、
前記移動通信装置のアイドルモード処理の間のキャンプオンされるセルの選択につき、前記一以上のセルが前記他の複数のセルに対し優先されてもよいと決定された場合に、前記セル障害情報を無視する工程と
を備えることを特徴とする方法。
【請求項２０】
請求項１９に記載の方法であって、セルに関する情報が一致するセルを単一に識別するセル識別子であることを特徴とする方法。
【請求項２１】
請求項２０に記載の方法であって、
前記移動通信装置のアイドルモード処理の間のキャンプオンされるセルの選択につき、前記複数セルのうちの前記少なくとも一つのセルが他の複数のセルに対し優先されるかどうかを、セルに関する情報を利用して決定する前記工程が、
移動通信装置のアイドルモード処理の間のキャンプオンされるセルの選択につき、どの複数セルが他の複数セルに優先されるかについての蓄積された情報を取り出す工程を備えることを特徴とする方法。
【請求項２２】
請求項１９に記載の方法であって、セルに関する情報が、一以上のセルを有するサービスエリアを単一に識別するサービスエリア識別子であることを特徴とする方法。
【請求項２３】
請求項２２に記載の方法であって、前記移動通信装置のアイドルモード処理の間のキャンプオンされるセルの選択につき、前記複数セルのうちの前記少なくとも一つのセルが他の複数のセルに対し優先されるかどうかを、セルに関する情報を利用して決定する前記工程が、
移動通信装置のアイドルモード処理の間のキャンプオンされるセルの選択につき、どの複数セルが他の複数セルに優先されるかについての蓄積されたサービスエリア識別子を取り出す工程を備えることを特徴とする方法。
【発明の詳細な説明】
背景技術
本発明は無線通信システム（例えばセルラーシステム、衛星システム）に関するもので、候補となるサーバ（基地局など）が複数ある場合において無線トラヒックをより好ましいサーバに導くための技術に特に関係している。
今日の高度な無線通信ネットワークにおいては、（例えば加入者などの）エンドユーザのカテゴリー間の区別をする能力の必要性が増してきている。この必要性の増加は、例えば多数の商業的な理由によるものである。商業的な目的でエンドユーザの区別をする理由の一つの例としては、
あるサーバの管轄内にいるとき（例えば会社に設置されたサーバの管轄内にいるとき）にはエンドユーザのうちある選ばれたグループの人たち（たとえばその会社の従業員）はある程度のトラヒック容量を使うことが保証されるようにする、といった管理者の要望がある。このようなことを可能にするためには、他の加入者、すなわちその加入者のグループに属していない加入者は特定のサーバにおいてはトラヒックを発生しないようにすることが重要である。
もう一つの例は管理者のネットワークの限られた許可された部分だけのアクセスを提供するようにしたいという管理者の要望によるものである。許可されたサービスエリアというのは、一つ、あるいは複数の無線通信サーバ（基地局など）が受け持つ地理的な領域によって定義される。このような場合、移動局はサービスエリアの外にいる場合には無線通信システムに負荷をかけないようにすることが重要である。さらに、この場合には許可されたサービスエリアの外に出たことを加入者に注意することが重要である。これは移動局が知らせるべきものである。
さらに別な例としては、加入者がサービスを受ける、あるいは要求する場所に応じて異なる料金を提供できるようにするということも挙げられる。この場合、現在利用できるサービスエリアの中から、最も好ましいサービスエリアを選択するために、ユーザが所望するサービスエリアの情報を移動局が持つことが重要である。また、ユーザが要求したサービスのセットアップが終了したか否かを前もってユーザが知ることができるようにすることが重要である。
エンドユーザの区別をすることは望ましいことなのであるが、現在のＧＳＭ移動局のアイドルモードセルの選択・再選択手順では、選択された公衆陸上移動体ネットワーク（ＰＬＭＮ）内で加入エリアの考慮が全くされていない。よくても、ＧＳＭネットワーク管理者は伝統的な技術を使うことで次のようなことができる程度である。
１.ネットワークの一部（所定のセルのサブセット）のみに対して許可されたアクセスによって加入を限定すること
２.複数の加入者（即ち、加入者グループ）のアクセスをネットワークの一部のみに制限すること
３.加入者がアクセスしようとする場所、加入内容に応じて、特別な料金を設定して特別なサービスを許可すること
しかし、ネットワーク管理者がこのような機能・サービスを持つことを望むならば、それはネットワーク自身によって処理されなければならない。なぜなら、現在のＧＳＭ標準では移動局のアイドルモードセル選択中のサービスエリアの考慮については何ら規定がないからである。移動局はアイドルモードセル選択を行なう際に有効な加入エリアに関する情報を持っていない。その結果、加入の有無に関係なくＰＬＭＮ内の全ての移動局は同じようにしてセル選択を行うようになる。
例えばネットワークの一部分だけにユーザのアクセスを制限するための従来手法では、移動局があるセルにキャンプオンし、サービスを受ける準備ができたときにユーザは発呼の初期化が可能になるというものである。ここで最初に移動局とネットワークとの間のシグナリングコネクションが確立することとなる。ネットワークは移動局の認証を行い、必要な加入制御を行う。加入サービスエリアのデータ（もしあれば）といったものに基づいて、ネットワークは発呼（ｃａｌｌｓｅｔｕｐ）を受ける、あるいは拒否することができる。
もしそのユーザが利用可能なエリアでないためにネットワークがその発呼を拒否したり、あるいはもしそのセルがある別の加入者グループ専用のセルとなっている場合には、シグナリングコネクションは解放される。しかしながら、従来システムでは、そのユーザの同一セル内での再発呼を防止することはできない。そのような再発呼はもちろん再度拒否される。したがって従来システムを用いた上でエンドユーザの区別を行う機能を取り込むと、無線負荷やネットワーク資源の損失を招くことになる。
さらに、移動局が二つのセル、ここではセルＡ,Ｂとする、のカバーエリア内にいるとし、どちらのセルにキャンプオンするのがふさわしいのかという例を考えることで、従来手法でユーザのカバーエリアの制限を決定することを評価することができるであろう。移動局がセルＡ,Ｂのいずれかを選択する基準としてＣ１という値を計算し、セルＡがキャンプオンするのに最もよいセルであると仮定する。もしユーザの加入に関するデータからセルＢだけがそのユーザに許可されたセルである場合には、ユーザの呼の初期化はネットワークによって拒否される。（すなわちユーザはセルＡから呼の初期化を試みるからである。）しかし、伝統的な手法では、ユーザやネットワークが移動局に他のセル（すなわちセルＢ）にキャンプオンするようにさせる機構が無い。従って、もし電波環境が変わらない（例えば移動局が移動しない）場合には、移動局はセルＡに加わろうとし続け、それによってまた発生する発呼の試みは全て無駄となる。
ここで、従来技術上で「最良のエリア」、つまりそのシステム上である特定の加入者の移動局によって初期化された呼の処理の点で他のセルよりも望ましいものだといくつかのセルを指定すること、の実装に適応した例を考えてみよう。この例では、移動局はどちらかがよりキャンプオンするのが望ましい２つのセル（セルＡ,Ｂ）のカバーエリア内にいるものと仮定する。さらに、移動局はそれぞれのセルに対してＣ１の基準を計算し、セルＡが最もよいセルであると判断すると仮定する。これにより移動局はセルＡにキャンプオンすることとなる。
しかし、この加入者の加入データによるとセルＢの方がセルＡよりも望ましい（たとえば、この加入者はセルＢは無料で利用できるがセルＡはそうではないなど）と仮定する。この条件下では加入者の移動局はセルＡではなくてセルＢにキャンプオンすることが望ましい。しかしながら、無線状況が変わらない（ユーザが移動しないなど）限りにおいて、移動局はセルＡに加わろうとし続け、このユーザの発呼は全て「高価な」セルで行われることとなる。従来技術においては移動局を強制的に別のセルにキャンプオンするようにすることはできない。
まとめると
１.限られた一部のＰＬＭＮ（すなわち限られた一部のＧＳＭ無線ネットワーク）だけの利用が許可された加入者が、その許可されたエリア外にいる場合においても、移動局は無線・ネットワーク資源を消費してしまう。
２.ＰＬＭＮ全体について許可されたアクセスを有するが、所望のアクセスは、ＰＬＭＮのごくかぎられた部分である加入者の為に、所望の部分に属する適切（ｓｕｉｔａｂｌｅ）な別のセルがあるにもかからわず、移動局がＰＬＭＮの所望の部分の外部のセルにおいて呼接続のセットアップを開始することができる。この「適切な」の定義についてはＥＴＳＩ刊行物のＴＳＧＳＭ０３.２２,ｖ４.１１.０を参照のこと。当該内容は引用により記載に代える。
３.たとえ特定の加入者グループだけがＰＬＭＮの一部の限定された領域でのアクセスを許可されていたとしても、現在はそのＰＬＭＮ内の無線・ネットワーク資源を他の移動局（他の加入者の移動局）が消費することを防ぐことはできない。
従来システムではこれらの問題に対して十分な解決を得ることはできない。たとえば、国際特許出願第ＷＯ９５/０７０１０ではカバーエリアの重なっている領域にいる移動局が複数の利用できるドメインを切り替えることが可能な通信システムが開示されている。ドメインの選択はどのサービスが使用されるかに基づいてなされる。しかし、この文献では許可されたドメイン、拒否されるドメイン、キャンピングに好ましい各ドメインと、移動ネットワーク加入者の登録とをサービスに関わらず加入者識別子に基づいて区別する技術については開示していない。
米国特許第５６２７８７７号ではイントラネットトラヒックの需要を軽減するために加入者が移動したとき、加入者のデータをネットワーク間で適応的に再配置することを開示している。この特許公報では、加入者データに基づいて移動局がセル選択を行っているときに、許可されているサービスエリアかそうでないかを互いに区別して定義することによってネットワークトラヒックを軽減することの可能性については触れられていない（開示されていない）。
米国特許第５４０４５８０号では、特定の加入識別モジュールＳＩＭ（ＳｕｂｓｃｒｉｐｔｉｏｎＩｄｅｎｔｉｆｉｃａｔｉｏｎＭｏｄｕｌｅ）を用いることによってのみ動作する特別の移動電話（すなわち特別の移動体装置）の可能性を開示している。これはメモリユニットを無線電話自身に組み込むことによって効果がある。メモリユニットには加入に関するデータが書き込まれている。得られるサービスはメモリユニットと無線電話内に装着されたＳＩＭカードとの組み合わせによって決まる。米国特許第５４４４７６４号では米国特許第５４０４５８０で与えられる機能のための特別な場合について開示している。この特別な場合には、この特別な無線電話の使用を有効なＩＭＳＩを持つＳＩＭを持つ加入者に制限することの可能性を提供する。これらの有効なＩＭＳＩに関する情報は無線電話自身のメモリモジュール内にプログラムされている。
米国特許第５４８８３８６号では、このシステム内で移動局の加入者の移動をサービスする多階層セルラー無線機構を開示している。サービスしている移動局によって受信された電波の強度だけでなく、関連した無線チャネルの電波の強度は測定されている。それぞれの無線チャネルの信号強度と関連するセルの優先度の値によって移動局にとってもっともよいサービスを行っているかという点で決定される。このように、階層セル機構（ＨＣＳ）が確立される。しかし、セル選択の過程において優先度を決定するパラメータは加入に関係なくすべての移動局についておなじである。
発明の概要
本発明の目的は、移動体通信ネットワーク内において特別のサービスエリアへの排他的なアクセスを選ばれた加入者だけに提供する装置、及び方法を提供することである。
また、本発明の目的は、管理者の通信ネットワークの一部だけに特定の加入者のアクセスを制限する装置及び方法を提供することでもある。
さらに本発明の目的は、加入者が許可されたエリア外に移動したときに、エリア外に出たことを加入者に知らせる装置及び方法を提供することである。
加えて本発明の目的は、サービスを要求、あるいは受ける場所によって異なる料金体系を設定する装置及び方法を管理者に提供することである。
もう一つの本発明の目的は、移動局が複数の利用可能なエリアの中から好ましいサービスエリアを選び、要求したサービスのセットアップが好ましいエリアの中で行われたかどうかをまえもって移動局のユーザが知ることができる、というような装置及び方法を提供することである。
前述のそして他の目的は、公衆陸上移動体ネットワークを含みセルに分けられた通信システムで使われる方法及び装置によって達成される。この発明の一つの態様では、移動通信装置は公衆陸上移動体ネットワークと通信する手段、および移動通信装置がセルの一つにキャンプオンすることが許可されるかどうかを決定する手段を含む。これはＳＩＭといったどのセルにキャンプオンするのかについての情報を書き込まれたメモリデバイスを用いることによってある程度実現できるだろう。一つの具体例においては、蓄えられた情報はキャンプオンするセルのリストを含み、そこではリストの中の情報はキャンプオンするセルの優先度順に示せるように並べ替えられる。移動通信装置がセルの一つにキャンプオンすることが許可されるかどうかを決定する方法は、通信システムの中でセルの一つからブロードキャストされる無線制御チャネルから得られるセルに関する情報を受信するための手段を含んでいる。そのセルに関する情報は、許可されたアクセスが加入データによって制御される公衆陸上移動体ネットワークの一部に属するセルかどうかを示している。
本発明の別の態様でみると、セルに関する情報は、許可されるアクセスが加入情報によって制御される公衆陸上移動体ネットワークの一部にそのセルが属することを示してもよい。セルはさらに標準的な”セル障害”（cell barred）信号をブロードキャストしてもよい。移動通信装置は、もし決定手段がそのセルがキャンプオンされると決定すれば、検出法に対応して、セル障害情報を無視するための方法を含むだろう。どのセルにキャンプオンするかどうかについての情報はＳＩＭの中に書き込まれているだろう。
さらに本発明の別の態様をみると、移動体通信システムと通信手段は公衆陸上移動体ネットワークを含む。また少なくともセルの一つからセルに関する情報をブロードキャストされ、そのセルに関する情報は、許可されたアクセスが加入データによって制御される公衆陸上移動体ネットワークの一部に属するセルかどうかを示している。
このシステムで使うための移動体通信装置は少なくともセルの一つからセルに関する情報を受信し、その移動体通信装置が少なくともセルの一つにキャンプオンすることが許可されるかどうかを決定することによって動作する。
さらに本発明の別の態様をみると、公衆陸上移動体ネットワークを含み、多数のセルに分割された通信システムで使われる移動体通信装置は公衆移動体ネットワークと通信するための無線手段を含む。そして、移動体通信装置があらかじめ決められたサービスエリア内でセルの使用を許可され、そして少なくとも一つの他の移動通信システムが許可されていないところで、セルがあらかじめ決められたサービスエリアの一部かどうか決定するための手段も含まれる。
セルがあらかじめ決められたサービスエリアの一部かどうかを決定する手段にはどのセルがあらかじめ決められたサービスエリアかどうかについての情報を蓄えるためのメモリデバイスが含まれるだろう。
さらに本発明の別の態様は移動体通信装置は、キャンプオンするための適切なセルのリストを決定するための手段、それからあらかじめ決められたサービスエリアの一部のセルの方をあらかじめ決められていないサービスエリアの一部のものよりも優先度を高くすることによって、適切なセルの中から選択する手段をさらに含むであろう。
さらに本発明の別の態様では、セルがあらかじめ決められたサービスエリアの一部かどうかを決定するための手段は通信システムでセルの一つからブロードキャストされている無線制御チャネルのセルに関する情報を受信するための手段が含まれるだろう。
さらに本発明の別の態様では、セルに分割された通信システムで使用する手段は、少なくともセルの一つからセルに関する情報をブロードキャストする事を含む。
通信システムを使う移動体通信装置において、セルに関する情報は少なくとも一つのセルから受信される。受信したセルに関する情報は少なくとも一つのセルがあらかじめ決められたサービスエリアの一部かどうかを決定するために使われる。そこでは移動体通信装置はあらかじめ決められたサービスエリア内ではセルの使用が許可され、少なくとも一つの他の移動体通信装置はそのあらかじめ決められたサービスエリア内ではセルの使用は許可されない。
セルに関する情報は個々のセルを単一に識別できるようなセル識別子であろう。この場合、少なくとも一つのセルがあらかじめ決められたサービスエリアの一部であるかどうかを決定するための受信したセルに関する情報を使う段階は、どのセルが予め決められたサービスエリアなのかについての蓄積された情報を取り出すことも含まれている。
別の具体例としては、セルに関する情報は一つまたは複数のセルを含むサービスエリアを識別するサービスエリア識別子でもあろう。この場合少なくとも一つのセルが予め決められたサービスエリアであるかどうかを決定するための受信したセルに関する情報を使う段階は予め決められたサービスエリアについての蓄積されている識別子を取り出すことが含まれているだろう。
さらに本発明の別の態様では、移動体通信装置は公衆陸上移動体ネットワークを含み及び多数のセルに分割された通信システムで使うものと規定されている。移動通信装置は一つまたは複数のセルからセルに関する情報を受信するための無線手段、移動体通信装置がアイドルモード処理をしている間にセルに関する情報からキャンプオンするべきセルを選択するという点である一つのセル、もしくは複数のセルに優先度を与えるべきかどうかを決定する手段を含む。
本発明の別の態様では、移動体通信装置がアイドルモード処理の間のキャンプオンされるセルの選択につき、ある一つのセル、もしくは複数のセルに優先度を与えるべきかどうかを決定する手段には、どのセルに優先度を与えるべきかについての情報が蓄えられたメモリデバイスが含まれる。
さらに本発明の別の態様では、移動体通信装置は、キャンプオンするのに適したセルのリストを決定し、移動体通信装置がアイドルモード処理の間に優先度を受けるべきセルに高い優先度を与えることによって適したセルの一つを選択するための手段を含むであろう。
さらに本発明の別の態様は、多くのセルに分割されている通信システムで使用する手段は、少なくとも一つのセルからブロードキャストする段階、通信システムにおいて使うための移動体通信装置において少なくとも一つのセルからセルに関する情報を受信する段階を実行すること、それから移動体通信装置のアイドルモード処理の間にセルに関する情報からキャンプオンするべきセルを選択するという点である一つのセル、もしくは複数のセルに優先度を与えるべきかどうかを決定するために受信したセルに関する情報を使うことが含まれる。セルに関する情報は対応するセルを識別するセル識別子であろう。この場合、移動体通信装置のアイドルモード処理の間にセルに関する情報からキャンプオンするべきセルを選択するという点である一つのセル、もしくは複数のセルに優先度を与えるべきかどうかを決定するために受信したセルに関する情報を使う段階は、移動体通信装置のアイドルモード処理の間にキャンプオンするべきセルを選択するという点でどのセルに優先度を与えるかについての蓄積された情報を取り出すことが含まれる。
あるいは、セルに関する情報は、一つもしくは複数のセルを含むサービスエリアの個々を識別するサービスエリア識別子であろう。この場合、移動体通信装置のアイドルモード処理の間にキャンプオンするべきセルを選択するという点で少なくとも一つのセルに優先度を与えるかを決定するために受信したセルに関する情報を使う段階は、移動体通信装置のアイドルモード処理の間にキャンプオンするべきセルを選択するという点で優先度を与えられるべきサービスエリアの、蓄積されたサービスエリア識別子を取り出すことが含まれる。
【図面の簡単な説明】
本発明の上述した、また別の目的及び利点は、以下の発明の詳細な説明を次の図面とともに読むことによって理解されるであろう。
図１はセルの中のいくつかがカバーエリアが重なっているようなセルラー通信ネットワークの一部を示しているブロック図である。
図２は本発明の様々な態様を実現するための要素を組み込んだ移動局のブロック図である。
図３は本発明の一つの態様に従って、加入者の好みのサービスエリアデータのを取り扱うために必要な、セルの選択・再選択処理に追加すべき処理を示したフローチャートである。
図４は本発明の一つの態様にしたがって排他的なセルアクセスを処理するために移動局のアイドルモードセル選択・再選択処理へ付加する処理を示したフローチャートである。
図５は本発明の一つの態様にしたがってネットワークの限られた部分で許可されたアクセスを処理するために移動局のアイドルモードセル選択・再選択処理に付加される処理を示したフローチャートである。
発明の詳細な説明
本発明の様々な特徴を、同様な部分は同一な参照数字によって示す図にしたがって説明する。
本発明の一つの態様によれば、移動局（ＭＳ）にあるＳＩＭカードはＭＳのユーザがアクセスを許可されたＰＬＭＮの一部、あるいは複数の部分を特定する情報を含む。この情報は、ＭＳがアイドルモードの時に、セルがキャンプオンに適しているか（すなわち、そのセルがセルが許可された部分に含まれるか否か）、又はキャンプオンに適していないか（すなわち、そのセルが許可されたＰＬＭＮ部分の外であるか）を決定するときに使用される。
加入者のサービスエリアの情報をＭＳで利用できるようにすることによって、ＭＳは特定のセルにキャンプオンすることが許されるかどうか（すなわちその加入者が得るサービスの目的のために）を評価することができる。さらに、これはネットワークと通信することなく（無線、ネットワーク資源を消費することなく）達成することができる。
本発明のもう一つの態様によると、加入者がアクセスを許されたＰＬＭＮの異なった部分はＭＳ内のＳＩＭカードに優先度順に並べられている。このリストのおかげでＭＳはいくつかのキャンプオンすべきセルの候補から選択することができる。その結果、キャンプオンするセルの決定は従来システムの方法と異なっている。たとえば、もしキャンプオンするのに適している二つのセルがみつかった場合、セルの周波数プランニングへの影響を避ける、あるいは最小にするならば、最も高い信号強度かどうかに関係なく、このリストにしたがって高い優先度を持つＰＬＭＮの部分に属するセルが選ばれる。
本発明のこの二つ目の態様の利点は加入者のサービスエリアの優先度情報をＭＳから利用できるようにすることによって、ＭＳは利用できるセルの中から加入側から見る限り最も望ましいセルを選び、キャンプオンすることができる。さらにこれはネットワークとの通信を全く行うことなく（無線、ネットワーク資源を消費することなく）達成することができる。
発明の別の態様においては、セルの無線制御チャネル上でブロードキャストされる情報は、許可されたアクセスが加入データによって制御されるところのＰＬＭＮの一部に属しているセルであることを示すデータを含むことができる。即ち、選定された加入者のみがそのようなセルにアクセスすることを許可される。前述のように、ＳＩＭは、ＭＳがＰＭＬＮからのサービスを受けることが許可されるようなＰＬＭＮの一部であることを示す情報を包含するようにプログラムされることができる。よって、この新しいブロードキャストされた情報は、セルがキャンプオンするのに適したものかどうかを決定するための新しいＳＩＭ情報と結合してＭＳによって利用される。
更に発明の別の態様において、実施に際し、既存の（従来の）ＭＳ（すなわち、新しい機能をサポートしていないＭＳ）は、ここで述べられている新しいＭＳと共存することができる。よって、新しい機能をサポートしていない既存のＭＳが、許可されたアクセスが加入データによって制御されるセルにキャンプオンするのを防ぐために、既存の技術（既存の標準として定義されるＥＴＳＩ公報ＴＳＧＳＭ０３.２２参照。当該内容は引用により記載に代える。）によってセルは障害を受ける。この場合、ここで述べられている新しい機能をサポートしているＭＳは、もし許可されたアクセスが加入データによって制御されるＰＬＭＮの一部にセルが属しているなら、”セル障害”情報を無視する。そして、これらのＭＳは、許可されているセルであると加入サービスエリアデータが示すようなセルにキャンプオンすることができる。
与えられたセルがアクセスを許可されたセルであることを明示する加入データを有する加入者のみにその利用が制限されることを示す情報をブロードキャストすることにより、加入者サービスを受ける目的でキャンプオンすることが許可されるかどうかをＭＳが評価することが可能となる。発明の他の態様によれば、この利益はネットワークと通信することなく（すなわち、いずれの無線及びネットワーク資源をも消費することがない。）達成することができる。
発明のさまざまな態様をこれから具体例を参照しつつ詳細に述べることにする。最初に図１によれば、サービスエリア一例はマイクロセル１０１、１０２及び１０３によって定義される。マイクロセル１０はこのサービスエリアと重なる。ＭＳ（図１に不図示）が電源投入されると、Ｃ１基準（ＴＳＧＳＭ０５.０８ｖｅｒｓｉｏｎ４.１８.２参照、当該内容は引用により記載に代える。）によりキャンプオンするのに最も適したセルを見つけることになる。セルはＣ１基準についてかなり制限された範囲を有するので、必ずしもサービスエリアの全てのセルではない。ＴＳＧＳＭ０５.０８で定義されるＣ２基準は、数秒後に作動し、セル再選択を行う。
前記のセル選択と、セル再選択処理は、ＭＳに挿入される個々のＳＩＭに関係なく（すなわち加入データとは独立に）、全てのＭＳによってアイドルモードにおいて利用される。
図１にもどって、マイクロセル１０１、１０２及び１０３によって定義されるサービスエリアの一例が、個々の会社の従業者にとって最適のサービスエリアだと仮定する。発明のある態様によれば、それぞれの従業者に、このサービスエリアが最適なエリアであることを示す加入データとともに加入を受信させることでこれを達成することができる。すなわち、（従業者が使用するであろうＭＳのための）ＳＩＭカードは、それぞれ最適のサービスエリアを示す情報を蓄積するようにプログラムされている。
図２は、本発明の様々な態様を実施するための構成要素を包含する移動局２０１の概念図である。図示されている構成要素は、ここに述べられたＰＬＭＮアクセス情報を有するＳＩＭ１０５と、ここに明示された様々な技術によってＰＬＭＮアクセスを制御するプロセッサ１０３である。もちろん、当業者からすれば、ＰＬＭＮの従来部分との相互作用の目的のために移動局２０１が多くの他の構成要素を包含することは当然の認識である。上記の例で述べた従業者のための最良のサービスエリアを実現するために、プロセッサ１０３は図３のフローチャートに示すような処理を実行することになるであろう。図３は、本発明の一態様に従った加入の最適サービスエリアデータ処理を包含するための、セル選択/再選択処理に必要な付加処理を図示するフローチャートである。
（すべてのＭＳによりアイドルモードで実行される）ＧＳＭシステムにおけるセル選択基準は、Ｃ１というパラメータに基づいている。従来技術にしたがい、ＭＳは移動体システムのために定義されるすべての無線周波数（ＲＦ）チャネル（それぞれのセルについて一つのＲＦ）を探し、受信したそれぞれのＲＦチャネル上のＲＦ信号強度を計測する。そして、ＭＳはそれぞれのＲＦチャネル上の受信レベルの平均を計算する。平均は、ある期間内に拡散したＲＦチャネルいくつかの計測サンプル値を基準にして求める。よって、各々のＲＦチャネル（すなわちそれぞれのセル）について、パラメータＣ１が評価される。パラメータＣ１は、数ある中で、ネットワークによって設定される平均受信レベルと最小信号強度を基準とする。そして、セルはＣ１の下降順に優先順位が付けられる。ＭＳは単純に、そのリストの先頭のセルからキャンプオンすることになる。
本発明のある態様によれば、上記技術はサービスエリアセルの優位性を考慮するべく修正される。特に、それぞれのセルについてパラメータＣ１を評価し、どのセルが適切かを決定した後、まず、（ＳＩＭ２０５内のデータによって決定される）加入者のサービスエリアに属するセルのすべてが、加入者のサービスエリアに属していないセルよりも
高位の優先度が与えられるようにセルの優先順位がつけられる（ステップ３０１）。
次に、各々のセルのカテゴリーにおいて（即ちサービスエリアに属するセルと、属しないセル）、セルはＣ１の下降順に優先順位が付けられる（ステップ３０３）。ＭＳ２０１は、キャンプオンするセルを見つけ登録するために、優位性の下降順にセルをチェックする（ステップ３０５）。ここに記載するまでもない周知技術に従い、セル選択/再選択処理が続いて行われる。
本発明の別の態様では、ＭＳは、”品質保証パラメータ”として引用する新しいパラメータをここで更に導入することにより、ネットワーク内の無線周波数プランニングの妨害を避ける。
ここで品質保証パラメータは、他のどのセルよりも高いＣ１値のセルよりも、遥かに低いＣ１値を有するいずれかのセルにキャンプオンすることを妨げる役割を果たす。すなわち、品質保証パラメータは、セルについて決定されたＣ１の最大値と仮に”適当な”セルとして選ばれたもののＣ１値の間の最大限許容される差異を定義するものである。もし、差異が相当に大きければ、”適当な”セルは選択されないであろう。
新しい品質保証パラメータの値は、いくつもの手法によって得ることができる。例えば、それは、移動体システムのための標準において定義され、ＭＳ２０１に蓄積されるかもしれない。あるいは、それはセルに固有であり、かつネットワーク管理者によって決定されるかもしれない。この場合、品質保証パラメータはＭＳがアイドルモードで読み取れるように、各セル内にブロードキャストされるべきである。あるいは、品質保証パラメータはネットワークに固有であるかもしれず、その場合はネットワーク管理者によって決定される。ここで、パラメータ値は加入サービスエリアデータとともに蓄積され、ＭＳ２０１が加入サービスエリアデータとともに利用することができる。
ここで発明の別の態様を考慮して、ネットワーク管理者が会社の構内で無線ネットワークサービス範囲を提供すること及び、例えば、会社の従業者の数に基づいて見積もられるような最小限のトラヒック容量を保証することを欲していると仮定する。更に、その保証を得るために、ネットワーク管理者は会社の従業者だけが使用するための沢山のセルを提供する準備ができていると仮定する。その場合、例えば図１を再び参照すると、会社の構内はマクロセル１２内に位置する専用マイクロセル１２１と１２２によってサービスされるかもしれない。一方で、マクロセル１２はまたマイクロセル１２０、１２３、１２４のような他のマイクロセルを包含することが分る。従来のシステムの手法では”専用の”セル（即ちマイクロセル１２１と１２２）のカバーエリアへ入ってくる当該従業者以外の加入者が、それらのセルへキャンプオンして無線資源を消費することを排除する手段がないという問題が発生するので、会社の従業者のみによって利用されるために与えられたはずのトラヒック容量が使われてしまうことになる。
この問題は、特定の加入者グループによって使用されるＭＳが、ここでは”排他的アクセスセル”と呼び”許可された”そして、高位の優先度を有する専用セルを考慮する、本発明の態様によれば解決される。対照的に、システム内の残りのＭＳ（即ち、他の加入者グループによって使用されるＭＳ）は、これらのセルを”許可された”セルとして捉えることは決してできず、かつ、必然的にこれらのセルの使用もキャンプオンすることも決してできないであろう。
本発明のこの態様によれば、”排他的アクセスセル”（例えばマイクロセル１２１と１２２は、
これらのセルが、”許可された”と示す加入データを有するユーザのみにアクセスが制限される、排他的アクセスに係るセルであることを示す情報をブロードキャストする。この情報は、システム内のそれぞれのＭＳによって、キャンピングし登録するのに適したセルであるかどうかを決定するために利用される。
前記のように、実施に際して、既存の（従来の）ＭＳ（即ち新しい機能をサポートしていないＭＳ）は、ここに述べられている新しいＭＳと共存することができることが分る。よって、新しい機能をサポートしていない既存のＭＳが、許可されたアクセスが加入データによって制御されるセルにキャンプオンすることを防ぐためには、セルは既存の技術（既存の標準として定義されるＥＴＳＩ公報ＴＳＧＳＭ０３.２２参照。）によって妨害される。この場合、ここで述べられている新しい機能をサポートしているＭＳは、もしセルがブロードキャストした、許可されたアクセスが加入データによって制御されるＰＬＭＮの一部にセルが属していることを示す新しい情報を、セル障害情報の他に検出したなら、”セル障害”情報を無視する。そして、これらのＭＳは、許可されているセルであると加入サービスエリアデータが示すようなセルにキャンプオンすることができる。
既存の（従来の）ＭＳに対し、排他的アクセスセルをサポートするために新しいソフトウェアまたはハードウェアが必要とされることはない。何故なら、周知技術に従って、セルが障害を受けている様に見えるからである。（セルから送信されるこの新しい”排他的アクセスセル”指示は、従来のＭＳには理解されないであろうし、必然的にこれらのＭＳによって無視されるであろう。）新しいＭＳでは、図４のフローチャートに図示されるような付加処理工程が、アイドルモードセル選択/再選択処理の一部として実行されるはずである。図４は特に、セルが”セル障害”情報を周知技術によって送信している時に、プロセッサー２０３によって実行されるステップを示す。”セル障害”の指示にもかかわらず、ＭＳ２０１はそのセルが他にキャンピングし登録するのに適したセルかどうかを決定する（決定ブロック４０１）。もし、適したセルでなければ、そのセルはさらなる考慮の対象から除外され、セル選択/再選択処理を続けるためのステップの処理に移行する（ステップ４０９）。
もし、セルが適したものであるなら、そのセルが排他的アクセスのためのセルかどうかを決定するための検証が実行される（決定ブロック４０３）。すなわち、ＭＳ２０１は、セルが新しい”排他的アクセスセル”指示を標準”セル障害”指示に加えてブロードキャストしているかどうかを決定する。もし、ブロードキャストしていないなら、そのセルは他の理由で障害を受けていることとなり、セル選択/再選択処理を続けるためのステップの処理に移行する（ステップ４０９）。
もしセルが排他的アクセスのためのものであるなら、このセルが加入者の許可されたサービスエリアに属するものかどうかを決定する（決定ブロック４０５）。このステップを実行するためには、プロセッサ２０３がＳＩＭ２０５に蓄積された加入者情報にアクセスし、ＳＩＭ２０５から読み出された、許可されたサービスエリアを構成するようなセルかを識別する情報と、セル識別子を比較する。
もしこのセルが加入者の許可されたサービスエリアに属するならば、このセルが適したセルのリストに追加され（ステップ４０７）、セル選択/再選択処理を続けるためのステップの処理に移行する（ステップ４０９）。例えば、（キャンピング又は登録するための）セル選択は、従来技術によって実行することができるだろう。あるいは、適切なセルのリストは図３を参照して上記のようにアレンジすることができるかも知れない。後者の場合、加入サービス情報の一部は、最終的な適切なセルのリストに優先順位をつけるために利用されるであろう。
ここで、ネットワーク管理者がネットワークの限られた部分にのみアクセスする呼が許可される加入を提供することを欲するような、別の状況を考えてみる。例えば、図１のマクロセル１４を考える。このマクロセル１４はマイクロセル１１０、１１１、１１２、１１３、１１４、１１５、１１６を含んでいる。ここで、マイクロセル１１４、１１５、１１６で定義されるサービスエリアにアクセスすることのみが許可されている加入者が欲しいと仮定すると、従来システムでは、加入情報の機能として決定された許可されたエリアの外部からそれらのセルにキャンプオンすることを防ぐ手立てがないから実現できない。
この問題は、ＭＳは、もしセルがＳＩＭ２０５に蓄積された加入サービスエリア情報によって設定された許可されたエリアの外であれば、そのセルに対し通常のキャンプオンを実行しないであろうところの、本発明の別の態様によって解決される。図５は、ネットワークの制限された部分での許可されたアクセスを有する加入の取り扱いのための、ＭＳのアイドルモードセル選択/再選択処理に追加されるステップの一例を示すフローチャートである。特に、キャンピング/登録のために適切なセルを検出した後は、ユーザがネットワークの制限された部分にのみアクセスを有するか決定するために、ＭＳ２０１内のプロセッサ２０３はＳＩＭ２０５内の情報にアクセスする（決定ブロック５０１）。もし、そうでなければ、そのセルは適切なセルのリストに追加され（ステップ５０５）、セル選択/再選択処理を続けるためのステップの処理に移行する（ステップ５０７）。
もし、セルが加入者の許可されたサービスエリアに属しない場合（決定ブロック５０３の”Ｎｏ”の経路）は、そのセルはもはや適した候補とはみなされず、処理は直接セル選択/再選択処理へ移行する（ステップ５０７）。
ここで本発明の他の形態を考えると、セルがＭＳ２０１のユーザが許可されたまたは最適のアクセス権利を有するサービスエリアに属するかどうかをＭＳ２０１が決定するために、サービスエリアを定義する情報が明確にされなければならない。これについての二つの選択肢を以下に示す。
最初の選択肢では、サービスエリアをサービスエリア識別子によって定義することができる。サービスエリアを構成するセルにおいて、サービスエリア識別子がブロードキャストされる。例えば、それぞれのマイクロセル１０１、１０２、１０３（図１参照）は、同一のサービスエリア識別子をブロードキャストするであろう。そして、ＭＳ２０１はそれらのセルのいずれかもしくは全てのサービスエリア識別子を得て、ＳＩＭ２０５に蓄積された加入者のサービスエリア情報（例えば、サービスエリアのリスト）と、このサービスエリア識別子を比較することができるであろう。この選択肢の利点は、無線ネットワークの変化による影響がより少ないことである。例えば、セルをサービスエリアに追加しても、ＭＸ２０１内の加入者のサービスエリア情報を更新する必要がない。さらに、加入者のサービスエリア情報を蓄積するために使用されるＳＩＭ２０５内のメモリの大きさは、サービスエリアの構成するセルの数と無関係である。
二つ目の選択肢においては、サービスエリアはセル識別子のリストによって定義される。この場合、単一のサービスエリアを構成するセルのために、特別にサービスエリア識別子がブロードキャストされることはない。例えば、各々のマイクロセル１０１、１０２、１０３（図１参照）は、たとえそれらが単一のサービスエリアを集合的に構成していたとしても、各々個々のセル識別子をブロードキャストするであろう。ＭＳ２０１はこれらの個々のセル識別子を受信し、それをサービスエリアセル識別子リスト（即ち、ＳＩＭ２０５内に蓄積された加入者のサービスエリア情報）と比較する。この選択肢の利点は、セル識別子がセル内に既にブロードキャストされているので、サービスエリアに属するセル内に追加の識別情報をブロードキャストする必要がないということである。
上記技術は、ＳＩＭ２０５に蓄積されている加入者のサービスエリア情報に依存する。ＳＩＭ２０５にこの情報を提供する具体例にはいくつかの選択肢がある。一つの選択肢においては、ＳＩＭ２０５が加入者に渡される以前に、加入者のサービスエリア情報を、ネットワーク管理者もしくはサービス提供者がＳＩＭにあらかじめプログラムしておくだろう。このアプローチでは、情報がなんらかの理由で変更された場合、加入者はＳＩＭ２０５をネットワーク管理者またはサービス提供者に更新のために返却しなければならないことになる。しかしながら、このアプローチの利点は、ネットワーク実施への衝撃を減らし、おそらくはより安全になるという事実である。
別の具体例では、加入者のサービスエリア情報は、移動体ネットワーク内（例えば、加入者のホームロケーションレジスタもしくは、他のサービスノード内）のデータベースに蓄積されてもよい。加入者のサービスエリア情報が確立された後、もしくは、加入者のサービスエリア情報が変わった後に加入者のＭＳ２０１がネットワーク登録を最初に実行する時、ネットワークはＭＳ２０１に情報を送信するであろう。このアプローチの利点は、加入者のサービスエリア情報の変化が、管理者またはサービス提供者に簡単な手続きを要求するだけで、エンドユーザは何ら措置を講じなくてもよいという事実である。
上記技術は、ＭＳのアイドルモード時の加入者サービスエリア情報の利用と関連する。ＭＳがネットワークと通信状態の時、加入者のサービスエリア情報は、ネットワークによってハンドオーバー決定のために利用されえる。この方法により加入者情報を利用する技術は、トーマス・フライド等の名において、１９９７年６月１０日付で出願された、米国特許出願第０８/８７２,０６５号の”通信システムにおける適応階層セル構造”の出願に開示されている。
本発明は、個々の具体例に言及して述べられている。しかしながら、前記の発明の最良の具体例に示されていない特定の形態によっても、本発明を具体化できることは当業者の当然とするところである。この具体化は、発明の精神から逸脱することなく行うことができる。最良の具体例は、単なる例示であり、その内容に限定されるべきではない。発明の範囲は、前述の記載よりもむしろ、添付された請求の範囲によって与えられるものであり、請求の範囲に属する全てのバリエーション及び、等価物はそこに包含されることを意図されたものである。
【図１】
0004156674.tif 000002
【図２】
0004156674.tif 000003
【図３】
0004156674.tif 000004
【図４】
0004156674.tif 000005
【図５】
0004156674.tif 000006